(57)【要約】【課題】多くの番組からユーザーの好みに合った番組を或る程度ユーザー自身の好みや意志も反映しつつ選択できる、操作上の利便性に富んだ放送受信システムおよび放送受信装置ならびにリモートコントローラを提供する。【解決手段】視聴頻度の序列に従った順位でＥＰＧの表示を行い、当初は自動的にこのＥＰＧの表示における最上位の序列のチャンネル中現在時刻の番組が該番組に対する決定操作を待機している状態に至っており、この状態から、ユーザーの任意に応じて、他の、相対的に下位の順位に位する番組を選択し、決定操作することもまた、ユーザーの任意によって可能である。【選択図】図３
2007282076.tif 000002
【特許請求の範囲】
【請求項１】
所定の登録操作に応じてユーザーが所望する複数のチャンネルを登録可能なチャンネル
登録部と、前記チャンネル登録部に登録されたチャンネルについてその視聴頻度を監視す
る視聴頻度監視部と、外部操作に応答して前記視聴頻度監視部による監視結果としての視
聴頻度の序列に従った順位でＥＰＧの表示を行うＥＰＧ表示部と、前記ＥＰＧ表示部によ
って表示されたＥＰＧに掲載された番組のうちから特定の番組を選択するための番組選択
部と、前記チャンネル登録部、ＥＰＧ表示部、および、番組選択部の動作に係る制御信号
を受ける制御信号受信部と、を備えた放送受信装置と、
ユーザーの操作に応じて前記放送受信装置のチャンネル登録部に対する所定の登録操作
を行うための登録操作信号を形成する登録操作制御部と、ユーザーの操作に応じて前記Ｅ
ＰＧ表示部にＥＰＧの表示を行わせるためのＥＰＧ表示制御信号を形成するＥＰＧ表示制
御部と、ユーザーの操作に応じて前記番組選択部での番組の選択を実行させるための番組
選択制御信号を形成する番組選択制御部と、前記登録操作制御部により形成された登録操
作信号、前記ＥＰＧ表示制御部により形成されたＥＰＧ表示制御信号、および、前記番組
選択制御部により形成された番組選択制御信号を前記放送受信装置の制御信号受信部に伝
送するための制御信号送信部と、を備えたリモートコントローラと、
を含んで構成されていることを特徴とする放送受信システム。
【請求項２】
所定の登録操作に応じてユーザーが所望する複数のチャンネルを登録可能なチャンネル
登録部と、前記チャンネル登録部に登録されたチャンネルについてその視聴頻度を監視す
る視聴頻度監視部と、外部操作に応答して前記視聴頻度監視部による監視結果としての視
聴頻度の序列に従った順位でＥＰＧの表示を行うＥＰＧ表示部と、前記ＥＰＧ表示部によ
って表示されたＥＰＧに掲載された番組のうちから特定の番組を選択するための番組選択
部と、前記チャンネル登録部、ＥＰＧ表示部、および、番組選択部の動作に係る制御信号
を受ける制御信号受信部と、を備えたことを特徴とする放送受信装置。
【請求項３】
前記視聴頻度監視部は、所定の時間の起算点からのチャンネル毎の視聴時間の累積値に
基づいて視聴頻度を判定するように構成されていることを特徴とする請求項２に記載の放
送受信装置。
【請求項４】
前記番組選択部は前記ＥＰＧ表示部によって表示されたＥＰＧに掲載された番組のうち
前記視聴頻度監視部による監視結果としての視聴頻度の序列における最上位の順位にある
チャンネル中の現在時刻の番組に対する決定操作を待機する状態に自動的に到るように構
成されていることを特徴とする請求項２〜３の何れか一項に記載の放送受信装置。
【請求項５】
所定の登録操作に応じてユーザーが所望する複数のチャンネルを登録可能なチャンネル
登録部と、前記チャンネル登録部に登録されたチャンネルについてその視聴頻度を監視す
る視聴頻度監視部と、外部操作に応答して前記視聴頻度監視部による監視結果としての視
聴頻度の序列に従った順位でＥＰＧの表示を行うＥＰＧ表示部と、前記ＥＰＧ表示部によ
って表示されたＥＰＧに掲載された番組のうちから特定の番組を選択するための番組選択
部と、前記チャンネル登録部、ＥＰＧ表示部、および、番組選択部の動作に係る制御信号
を受ける制御信号受信部と、を備えた放送受信装置を制御するためのリモートコントロー
ラであって、
ユーザーの操作に応じて前記放送受信装置のチャンネル登録部に対する所定の登録操作
を行うための登録操作信号を形成する登録操作制御部と、ユーザーの操作に応じて前記Ｅ
ＰＧ表示部にＥＰＧの表示を行わせるためのＥＰＧ表示制御信号を形成するＥＰＧ表示制
御部と、ユーザーの操作に応じて前記番組選択部での番組の選択を実行させるための番組
選択制御信号を形成する番組選択制御部と、前記登録操作制御部により形成された登録操
作信号、前記ＥＰＧ表示制御部により形成されたＥＰＧ表示制御信号、および、前記番組
選択制御部により形成された番組選択制御信号を前記放送受信装置の制御信号受信部に伝
送するための制御信号送信部と、を備えたことを特徴とするリモートコントローラ。
【請求項６】
前記ＥＰＧ表示制御部は、ＥＰＧ表示を行わせるための操作専用のＥＰＧ操作ボタンを
備え、前記ＥＰＧ操作ボタンに対する操作に応答してＥＰＧ表示制御信号を形成する動作
を起動するように構成されていることを特徴とする請求項５に記載のリモートコントロー
ラ。
【請求項７】
前記放送受信装置のチャンネル登録部に新たにチャンネルを登録するための操作専用の
チャンネル登録操作ボタンを更に備え、前記チャンネル登録操作ボタンに対する操作に応
答して前記チャンネル登録部に登録されているチャンネルを前記放送受信装置の画面に一
覧的に表示させるとともに、新たなチャンネルを登録するための動作が起動するように構
成されている制御部を有することを特徴とする請求項５〜６に記載の何れか一項に記載の
リモートコントローラ。
【発明の詳細な説明】
【技術分野】
【０００１】
本発明は、多数の放送チャンネルからユーザーが所望するチャンネルを登録し、該登録
されたチャンネルに関する視聴頻度に応じて自動的に番組の選択を行い、或いは、この選
択の支援を行う機能を搭載した、例えば家庭用のテレビジョン受像機として構成され得る
、放送受信装置、および、この放送受信装置に対する種々の操作を行うためのリモートコ
ントローラ、ならびに、前記放送受信装置およびリモートコントローラを含んで構成され
る放送受信システムに関する。
【背景技術】
【０００２】
近年、例えばデジタルテレビジョン受像機のような放送受信装置においては、１００を
超える数の番組を選択可能な趨勢にある。このため、ユーザーは自ら所望する番組を選択
するための操作が煩雑になってきてしまっている。
このような現象を技術課題として認識し、この課題を解決しようとする提案も種々なさ
れるに到っている。
【０００３】
多チャンネル放送にともなって難しくなる番組選局を容易にする機能を有する放送受像
機を提供するべく、放送受信機において、放送信号に重畳されて送られてくる番組情報デ
ータをはじめ、電話回線や様々な電子情報記録媒体によって提供される番組情報データを
利用し、定められた手段でチャンネルを選択する操作の際に、任意のチャンネルを任意の
グループに登録するメモリーと、それらを呼び出すボタンと、呼び出されたチャンネルに
対応した番組情報を表示させる機能とを備えることによって、多チャンネルでの番組選択
を容易にしようとする提案がある。
【０００４】
この提案では、ユーザーが好んで視聴する番組を「マイチャンネル」として登録してお
き、マイチャンネル選局画面上でその番号やシンボルマークによって特に選択が容易に表
示された番組を決定ボタンを押して選択できるようにするといったものである。
任意のチャンネルを任意のグループに登録し、その情報を画面上に表示することが可能
になり、登録した任意のチャンネルを表示すると同時に、そのチャンネルで放送中の番組
や内容に関する情報を表示することが可能になるため、番組情報誌や記憶に頼らず多チャ
ンネル放送の中から希望する番組を選択することが多くの人にとって可能になるとされて
いる（特許文献１参照）。
【０００５】
また、少なくとも番組毎の放送時間帯と番組内容を示す情報とをメモリ内に記憶してお
き、現在選局中のチャンネルで放送されている番組の番組内容を前記メモリより読み出し
て利用者の番組選択履歴を示す統計データを作成するとともに、前記メモリ内の現在時刻
に対応する各番組データの中から前記統計データに基づき最適な番組データを選択して、
その番組のチャンネルを選局候補として出力するといった技術提案もある。
【０００６】
この提案では、番組データ記憶部に各放送局で放送される予定の番組について、それぞ
れ番組名，ジャンル，出演者など、その番組の内容を表現する「番組データ」を放送時間
帯に対応づけた「番組テーブル」を形成しておき、このテーブルデータに関して各ユーザ
Ａ，Ｂ毎に、「重み設定テーブル」に基づいて各データ種毎の重みを設定している。
このような統計データに基づき最適な番組データを選択するようにして各利用者の過去
の番組選択履歴に基づき、夫々の好みの番組が放送されるチャンネルを自動的に選局候補
として抽出しようとするといったものである（特許文献２参照）。
【０００７】
更にまた、多チャネル放送においても、頻繁に視聴するチャネルを登録しておき、地上
波テレビジョンと同様に１釦操作で呼び出し選局したほうが、利便性が向上し、実用的で
もあるといった観点からの提案がある。チャネル記憶用メモリに好みのチャネルを登録す
るべくチャネル番号入力モードで、選択釦の手動操作に基づいて所定の登録操作を行うが
、登録したチャネルを呼び出すには、一つの代表的キーの１回の操作で、３桁番号のチャ
ネルを呼び出すことを可能にする技術も開示されている（特許文献３参照）。
【０００８】
また更に、高頻度視聴チャンネルを視覚的に認識することを可能にすると共に、複雑な
設定を行うことなく視聴頻度が高いチャンネルをワンタッチで選局することを可能にする
ことができる映像信号処理装置を提供しようという提案もある。この提案では、視聴の頻
度を視聴累積時間に基づいて判断するといった技術開示もなされている。
視聴頻度順位に応じた表示形態で各チャンネルの番組を表示する頻度表示自動実行モー
ドを実行することができるとされ、頻度表示自動実行モード時には、各ユーザー毎の各時
間帯の各チャンネルの視聴頻度を各種の手法によって取得し、ユーザーの選局操作に基づ
くチャンネルよりも視聴頻度が上位のチャンネル（以下、頻度上位チャンネルという）が
存在する場合には、これらの頻度上位チャンネルについて、例えば子画面表示によって視
聴頻度のチャンネル順位に基づいて表示させることができるとされている。
【０００９】
表示画面上に選局操作に基づくチャンネルが親画面表示によって画面中央に表示され、
このチャンネルに対する頻度上位チャンネルの子画面表示が、そのチャンネル順位に対応
する面積で表示画面の右側に表示される。一の子画面表示は、ユーザーが現在の時間帯に
おいて過去最も選局したチャンネルであることを示し、他の子画面表示は親画面表示によ
って表示されたチャンネルよりも視聴頻度が高いチャンネルのうち最も視聴頻度が低いチ
ャンネルであることを示すことができる。頻度上位チャンネルの全てを子画面表示しても
よく、予め設定された数の子画面のみをチャンネル順位の上位から順に表示させてもよい
とされている（特許文献４参照）。
【特許文献１】特開平１０−６５９７８号公報（段落０００４、段落００２５、図３）
【特許文献２】特開平１０−２５６８７５号公報（段落００１７、段落００２３、段落００２９、段落００４９、段落００５９、図１３）
【特許文献３】特開２０００−１８４２２７号公報（段落０００９、段落００２０〜段落００２３、段落００２５、図２）
【特許文献４】特開２０００−３３３０９４公報（段落０００９、段落００１７、段落００２９、段落００５０〜段落００５１、図２）
【発明の開示】
【発明が解決しようとする課題】
【００１０】
しかしながら、特許文献１所載の提案では、登録したチャンネルのリストを都度、画面
表示して、カーソルボタンや決定ボタンなどのリモコン操作を多用する必要がある。また
、その他の提案においても、極めて多数の番組の中から、ユーザーの好みに合った番組を
選択するに際して必ずしも十分な利便性が確保されているとは言い切れない。
例えば、特許文献２所載の提案では視聴頻度の最も高い番組（チャンネル）が無条件で
選択されてしまうが、ユーザーは必ずしも常時、視聴頻度の最も高い番組を好んで視聴す
るとは限らない。
【００１１】
また、特許文献３所載の提案では、自らの登録操作で予め登録しておいたチャンネルを
一回のキー操作で呼び出せる利便性はあるものの、敢えて意図的な人為的操作による準備
を俟たねばならず、且つ、結局のところ、本質的には全てが手動操作である。
他方、特許文献４の提案は、この種の放送受信装置において普及しているＥＰＧとの連
携については別段の配慮がない。
【００１２】
本発明は、上述したような従来技術において残置されていた課題に着目してなされたも
のであり、多くの番組からユーザーの好みに合った番組を或る程度ユーザー自身の好みや
意志も反映しつつ選択でき、操作上の利便性に富んだ放送受信システムおよび放送受信装
置ならびにリモートコントローラを提供することを目的とする。
【課題を解決するための手段】
【００１３】
前記課題を解決するべく、本願では次に列記するような技術を提案する。
（１）所定の登録操作に応じてユーザーが所望する複数のチャンネルを登録可能なチャン
ネル登録部と、前記チャンネル登録部に登録されたチャンネルについてその視聴頻度を監
視する視聴頻度監視部と、外部操作に応答して前記視聴頻度監視部による監視結果として
の視聴頻度の序列に従った順位でＥＰＧの表示を行うＥＰＧ表示部と、前記ＥＰＧ表示部
によって表示されたＥＰＧに掲載された番組のうちから特定の番組を選択するための番組
選択部と、前記チャンネル登録部、ＥＰＧ表示部、および、番組選択部の動作に係る制御
信号を受ける制御信号受信部と、を備えた放送受信装置と、
ユーザーの操作に応じて前記放送受信装置のチャンネル登録部に対する所定の登録操作
を行うための登録操作信号を形成する登録操作制御部と、ユーザーの操作に応じて前記Ｅ
ＰＧ表示部にＥＰＧの表示を行わせるためのＥＰＧ表示制御信号を形成するＥＰＧ表示制
御部と、ユーザーの操作に応じて前記番組選択部での番組の選択を実行させるための番組
選択制御信号を形成する番組選択制御部と、前記登録操作制御部により形成された登録操
作信号、前記ＥＰＧ表示制御部により形成されたＥＰＧ表示制御信号、および、前記番組
選択制御部により形成された番組選択制御信号を前記放送受信装置の制御信号受信部に伝
送するための制御信号送信部と、を備えたリモートコントローラと、
を含んで構成されていることを特徴とする放送受信システム。
【００１４】
上記（１）の放送受信システムでは、リモートコントローラ側でのユーザーの操作に応
じて、登録操作制御部で、放送受信装置のチャンネル登録部に対する所定の登録操作を行
うための登録操作信号が形成され、制御信号送信部から放送受信装置側の制御信号受信部
に伝送され、該伝送された登録操作信号に応答して、放送受信装置のチャンネル登録部で
は、ユーザーが所望する複数のチャンネルの登録が行なわれる。
【００１５】
更に、リモートコントローラ側でのユーザーの操作に応じて、ＥＰＧ表示制御部で、放
送受信装置のＥＰＧ表示部にＥＰＧの表示を行わせるためのＥＰＧ表示制御信号が形成さ
れ、制御信号送信部から放送受信装置側の制御信号受信部に伝送され、該伝送されたＥＰ
Ｇ表示制御信号に応答して、放送受信装置のＥＰＧ表示部で、視聴頻度監視部による監視
結果としての視聴頻度の序列に従った表示順位でのＥＰＧの表示が行なわれる。
【００１６】
また、リモートコントローラ側でのユーザーの操作に応じて、番組選択制御部で、放送
受信装置の番組選択部での番組の選択を実行させるための番組選択制御信号が形成され、
制御信号送信部から放送受信装置側の制御信号受信部に伝送され、該伝送された番組選択
制御信号に応答して、放送受信装置の番組選択部で、ＥＰＧ表示部によって表示されたＥ
ＰＧに掲載された番組のうちから特定の番組が選択される。
【００１７】
（２）所定の登録操作に応じてユーザーが所望する複数のチャンネルを登録可能なチャン
ネル登録部と、前記チャンネル登録部に登録されたチャンネルについてその視聴頻度を監
視する視聴頻度監視部と、外部操作に応答して前記視聴頻度監視部による監視結果として
の視聴頻度の序列に従った順位でＥＰＧの表示を行うＥＰＧ表示部と、前記ＥＰＧ表示部
によって表示されたＥＰＧに掲載された番組のうちから特定の番組を選択するための番組
選択部と、前記チャンネル登録部、ＥＰＧ表示部、および、番組選択部の動作に係る制御
信号を受ける制御信号受信部と、を備えたことを特徴とする放送受信装置。
上記（２）の放送受信装置では、リモートコントローラ側でユーザーが行う所定の登録
操作に応じて発せられる登録操作信号を制御信号受信部で受信し、該受信した登録操作信
号に応答して、チャンネル登録部で、ユーザーが所望する複数のチャンネルを登録する。
【００１８】
更に、リモートコントローラ側でユーザーが行う所定の操作に応じて発せられるＥＰＧ
表示制御信号を制御信号受信部で受信し、該受信したＥＰＧ表示制御信号に応答して、Ｅ
ＰＧ表示部で、視聴頻度監視部による監視結果としての視聴頻度の序列に従った表示順位
でのＥＰＧの表示を行なう。
更にまた、リモートコントローラ側でユーザーが行う所定の操作に応じて発せられる番
組選択制御信号を制御信号受信部で受信し、該受信した番組選択制御信号に応答して、番
組選択部で、ＥＰＧ表示部によって表示されたＥＰＧに掲載された番組のうちから特定の
番組を選択する。
【００１９】
（３）前記視聴頻度監視部は、所定の時間の起算点からのチャンネル毎の視聴時間の累積
値に基づいて視聴頻度を判定するように構成されていることを特徴とする（２）の放送受
信装置。
上記（３）の放送受信装置では（２）の放送受信装置において特に、視聴頻度監視部は
、所定の時間の起算点からのチャンネル毎の視聴時間の累積値に基づいて視聴頻度を判定
する。
【００２０】
（４）前記番組選択部は前記ＥＰＧ表示部によって表示されたＥＰＧに掲載された番組の
うち前記視聴頻度監視部による監視結果としての視聴頻度の序列における最上位の順位に
あるチャンネル中の現在時刻の番組に対する決定操作を待機する状態に自動的に到るよう
に構成されていることを特徴とする（２）〜（３）の何れか一の放送受信装置。
上記（４）の放送受信装置では、（２）〜（３）の何れか一の放送受信装置において特
に、番組選択部はＥＰＧ表示部によって表示されたＥＰＧに掲載された番組のうち視聴頻
度監視部による監視結果としての視聴頻度の序列における最上位の順位にある番組を特定
し当該最上位の順位にある番組に対する決定操作を待機する状態に自動的に到る。
【００２１】
（５）所定の登録操作に応じてユーザーが所望する複数のチャンネルを登録可能なチャン
ネル登録部と、前記チャンネル登録部に登録されたチャンネルについてその視聴頻度を監
視する視聴頻度監視部と、外部操作に応答して前記視聴頻度監視部による監視結果として
の視聴頻度の序列に従った順位でＥＰＧの表示を行うＥＰＧ表示部と、前記ＥＰＧ表示部
によって表示されたＥＰＧに掲載された番組のうちから特定の番組を選択するための番組
選択部と、前記チャンネル登録部、ＥＰＧ表示部、および、番組選択部の動作に係る制御
信号を受ける制御信号受信部と、を備えた放送受信装置を制御するためのリモートコント
ローラであって、
ユーザーの操作に応じて前記放送受信装置のチャンネル登録部に対する所定の登録操作
を行うための登録操作信号を形成する登録操作制御部と、ユーザーの操作に応じて前記Ｅ
ＰＧ表示部にＥＰＧの表示を行わせるためのＥＰＧ表示制御信号を形成するＥＰＧ表示制
御部と、ユーザーの操作に応じて前記番組選択部での番組の選択を実行させるための番組
選択制御信号を形成する番組選択制御部と、前記登録操作制御部により形成された登録操
作信号、前記ＥＰＧ表示制御部により形成されたＥＰＧ表示制御信号、および、前記番組
選択制御部により形成された番組選択制御信号を前記放送受信装置の制御信号受信部に伝
送するための制御信号送信部と、を備えたことを特徴とするリモートコントローラ。
【００２２】
上記（５）のリモートコントローラでは、所定の登録操作に応じてユーザーが所望する
複数のチャンネルを登録可能なチャンネル登録部と、チャンネル登録部に登録されたチャ
ンネルについてその視聴頻度を監視する視聴頻度監視部と、外部操作に応答して視聴頻度
監視部による監視結果としての視聴頻度の序列に従った順位でＥＰＧの表示を行うＥＰＧ
表示部と、ＥＰＧ表示部によって表示されたＥＰＧに掲載された番組のうちから特定の番
組を選択するための番組選択部と、チャンネル登録部、ＥＰＧ表示部、および、番組選択
部の動作に係る制御信号を受ける制御信号受信部と、を備えた放送受信装置を制御するよ
うに構成され、
ユーザーの操作に応じて前記放送受信装置のチャンネル登録部に対する所定の登録操作
を行うための登録操作信号を登録操作制御部で形成し、ユーザーの操作に応じて前記放送
受信装置のＥＰＧ表示部にＥＰＧの表示を行わせるためのＥＰＧ表示制御信号をＥＰＧ表
示制御部で形成する。更に、ユーザーの操作に応じて前記放送受信装置の番組選択部での
番組の選択を実行させるための番組選択制御信号を番組選択制御部で形成する。
前記のように形成された登録操作信号、ＥＰＧ表示制御信号、および、番組選択制御信
号を、制御信号送信部を通して、前記放送受信装置の制御信号受信部に伝送する。
【００２３】
（６）前記ＥＰＧ表示制御部は、ＥＰＧ表示を行わせるための操作専用のＥＰＧ操作ボタ
ンを備え、前記ＥＰＧ操作ボタンに対する操作に応答してＥＰＧ表示制御信号を形成する
動作を起動するように構成されていることを特徴とする（５）のリモートコントローラ。
上記（６）のリモートコントローラでは、（５）のリモートコントローラにおいて特に
、
ＥＰＧ表示制御部は、ＥＰＧ表示を行わせるための操作専用のＥＰＧ操作ボタンを備え、
このＥＰＧ操作ボタンに対する操作に応答してＥＰＧ表示制御信号を形成する動作を起動
する。
【００２４】
（７）前記放送受信装置のチャンネル登録部に登録されているチャンネルを前記放送受信
装置の画面に一覧的に表示させるための操作専用の登録チャンネル表示操作ボタンを更に
備え、前記登録チャンネル表示操作ボタンに対する操作に応答して前記チャンネル登録部
に登録されているチャンネルを前記放送受信装置の画面に一覧的に表示させるための動作
が起動するように構成されている制御部を有することを特徴とする（５）〜（６）の何れ
か一のリモートコントローラ。
【００２５】
上記（７）のリモートコントローラでは、（５）〜（６）の何れか一のリモートコント
ローラにおいて特に、前記放送受信装置のチャンネル登録部に登録されているチャンネル
を放送受信装置の画面に一覧的に表示させるための操作専用の登録チャンネル表示操作ボ
タンを更に備え、この登録チャンネル表示操作ボタンに対する操作に応答してチャンネル
登録部に登録されているチャンネルを前記放送受信装置の画面に一覧的に表示させるため
の動作が起動する。この動作は制御部によって実行される。
【発明を実施するための最良の形態】
【００２６】
以下、本発明の実施の形態を図面を参照して説明する。尚、以下に参照する図において
は、便宜上、説明の主題となる要部は適宜誇張し、要部以外については適宜簡略化し乃至
省略されている。
図１は、本発明の一つの実施の形態としての放送受信システムを表す図である。
図１において、本発明の放送受信装置の一つの実施の形態としてのデジタルテレビジョン
受像機１００とリモートコントローラ２００を含んで放送受信システム１０が構成されて
いる。
【００２７】
周波数変換器を備えたアンテナ１１０で受信され周波数変換された放送波は複数系統の
チューナ回路を含んで構成されたチューナ部１２０に供給される。
チューナ部１２０では、映像データと音声データとを含む高周波データ変調信号のうち
から所望の特定周波数の信号を抽出し、復調処理、逆インターリーブ処理、誤り訂正処理
等を行って上記抽出した信号を復調してトランスポートストリームを出力する。更に、チ
ューナ部１２０は、誤り訂正処理の過程で得られる受信状態を表すエラーレートまたはＣ
／Ｎ比のデータを生成する。
【００２８】
チューナ部１２０の出力であるトランスポートストリームはデスクランブル部１３０に
供給される。デスクランブル部１３０は、適用されたＩＣカード１３１からＩＣカード読
取り部１３２が読取った鍵情報を用いてトランスポートストリームのスクランブルを解除
する。
デスクランブル部１３０は、更に、デマルチプレクス処理機能を備えており、デスクラ
ンブル処理されたトランスポートストリームを、ＭＰＥＧ２（Moving Picture Experts G
roup２）のビデオトランスポートパケット、オーディオトランスポートパケット、及びＰ
ＳＩ／ＳＩ（Program Specific Information／Service Information）に分離する。
【００２９】
このように分離されたビデオトランスポートパケットとオーディオトランスポートパケ
ットはＡＶデコーダ部１４０に供給される。
このデジタルテレビ１００の系全体を統括的に制御するマイクロプロセッサを主体に構
成されたシステムコントローラ１５０が設けられ、このシステムコントローラ１５０に、
既述の受信状態を表すエラーレートまたはＣ／Ｎ比のデータ、および、ＰＳＩ／ＳＩのデ
ータも入力される。
【００３０】
システムコントローラ１５０はその各該当する機能部の働きによって本発明の枢要な構
成要件としての各手段乃至それを構成する部分として機能するようになされている。
トランスポートストリームには複数のチャンネルが多重化されており、これらのうちか
ら所望のチャンネルを選択することは、既述のＰＳＩ／ＳＩから当該所望のチャンネルが
トランスポートストリーム中でどのパケットＩＤで多重化されているかといったデータを
判読することによって達成される。
【００３１】
また、トランスポートストリームの選定（トランスポンダの選定）もＰＳＩ／ＳＩに依
拠して行われる。
尚、ＳＩ（サービス情報）には、番組情報（番組内容、番組開始時刻、番組継続時間、
ジャンル情報等）が含まれている。
ＡＶデコーダ部１４０は、ビデオトランスポートパケットに対してデコードを行うビデ
オデコーダ、および、オーディオトランスポートパケットに対してデコードを行うオーデ
ィオデコーダを備えている。
【００３２】
このビデオデコーダは、入力された可変長符号を復号して量子化係数や動きベクトルを
求め、逆ＤＣＴ変換や動きベクトルに基づく動き補償制御などを行う。
また、オーディオデコーダは、入力された符号化信号を復号して音声データを生成する
。
ＡＶデコーダ部１４０の上述のビデオデコーダの出力は、加算器１４１を介して映像処
理部１４２に供給され、一方、上述のオーディオデコーダの出力は、音声処理部１４３に
供給される。
【００３３】
映像処理部１４２は、ＡＶデコーダ部１４０から映像データを受け取ってＤ／Ａ変換を
行い、例えばコンポジット映像信号に変換する。一方、音声処理部１４３は、ＡＶデコー
ダ部１４０から音声データを受け取ってＤ／Ａ変換を行い、例えば右（Ｒ）音のアナログ
信号および左（Ｌ）音のアナログ信号を生成する。
映像処理部１４２の出力は映像出力部１４４を介して表示器１６０に供給されて映像が
画面に表示され、音声処理部１４３の出力は音声出力部１４５を介してスピーカ１６１に
供給されて音声が出力される。
【００３４】
システムコントローラ１５０の制御下で作動するＯＳＤ回路１５１が設けられ、システ
ムコントローラ１５０から出力指示された文字情報や色情報に基づく映像データを生成し
て加算器１４１に出力する。加算器１４１は映像データをＡＶデコーダ１４０から出力さ
れる受信映像データに組み込む処理を行う。
リモートコントローラ２００からの赤外光によるリモートコントロール信号を受信する
ためのリモートコントロール信号受信部１５２が設けられ、その出力がリモートコントロ
ール信号デコード部１５３でデコード処理されてシステムコントローラ１５０に供給され
るように構成されている。
【００３５】
メモリ１５５がシステムコントローラ１５０と種々のデータの授受を行い得るように設
けられ、更に、このデジタルテレビ１００に対してリモートコントローラ２００を介さず
に直接操作を行うための操作ボタンやその他の操作子を備えた操作部１５６がシステムコ
ントローラ１５０に接続されている。また、メモリ１５５の他に、後述するＥＰＧ画面の
デザインを規定するデータを保有したフラッシュメモリ１７０もシステムコントローラ１
５０に所要のタイミングで該当するデータを供給可能なように接続されている。タイマー
１８０はシステムコントローラ１５０に時刻情報を供給する。
【００３６】
一方、システムコントローラ１５０には、この種の映像機器において通常の仕様とされ
るＩＰ網４００との接続を可能にするためのＩＰ網インターフェース部１５７が接続され
ている。本例のデジタルテレビ１００は、このＩＰ網インターフェース部１５７を通して
ＩＰ網４００と、従って、ＩＰ網４００を介してサーバ４５０のような情報源と結ばれて
広範囲に情報の授受を行うことが可能である。
【００３７】
既述のように、システムコントローラ１５０はその各該当する機能部によって本発明の
枢要な要素を構成するものである。この構成について次に詳述する。
ユーザーがリモートコントローラ２００を用いて行う所定の登録操作に応じて発せられ
る赤外光による登録操作信号が制御信号受信部であるリモートコントロール信号受信部１
５２で受信され、リモートコントロール信号デコード部１５３を通してシステムコントロ
ーラ１５０に供給される。
【００３８】
システムコントローラ１５０は供給された登録操作信号に含まれる情報を認識して、ユ
ーザーが所望する複数の（同時には各一の）チャンネルをメモリ１５５に格納するといっ
た形で登録するチャンネル登録部の一部として機能する。即ち、システムコントローラ１
５０のこの機能部とメモリ１５５とを含んでチャンネル登録部が構成される。
また、このチャンネル登録部に登録されたチャンネルについてその視聴頻度を監視する
視聴頻度監視部としても機能する。即ち、システムコントローラ１５０はチューナ部１２
０乃至映像処理部１４２の作動を常時監視して統括的に制御しており、チャンネル登録部
に登録されているチャンネルについて視聴がなされた頻度を、それら該当するチャンネル
毎の累積視聴時間に基づいて認識する。
【００３９】
既述のように、システムコントローラ１５０の制御下で作動するＯＳＤ回路１５１はシ
ステムコントローラ１５０から出力指示された文字情報や色情報に基づく映像データを生
成して加算器１４１に出力するが、このＯＳＤ回路１５１によって、番組情報に基づくＥ
ＰＧ（Electronic Program Guide）表示、データ放送表示、メニュー画面表示などが行え
ることになる。
フラッシュメモリ１７０には、ＥＰＧ画面のデザイン（表の、各欄のレイアウト、枠線
や罫線の色、枠内の色、番組名等を表記した文字の色、更には、以上各部の輝度等）を規
定するデータが保持されている。ＥＰＧ画面のデザインは複数登録されており、システム
コントローラ１５０からの指令に応答してデザインが変更され得る。
【００４０】
リモートコントローラ２００側でユーザーが行う所定の操作に応じて発せられるＥＰＧ
表示制御信号が制御信号受信部たるリモートコントロール信号受信部１５２で受信されリ
モートコントロール信号デコード部１５３でデコード処理されてシステムコントローラ１
５０に供給されると、該供給されたＥＰＧ表示制御信号応答して、システムコントローラ
１５０は、上述の視聴頻度監視部による監視結果としての視聴頻度の序列に従った順位で
ＥＰＧの表示を行うＥＰＧ表示部（その枢要な機能部）としても機能する。
【００４１】
更にまた、リモートコントローラ２００側でユーザーが行う所定の操作に応じて発せら
れる番組選択制御信号を上記同様に受信したシステムコントローラ１５０は、このように
ＥＰＧ表示部によって表示されたＥＰＧに掲載された番組のうちから特定の番組を選択す
るための番組選択部（その枢要な機能部）としても機能する。この番組選択部については
後に図面を参照して更に詳述する。
【００４２】
図２は、本発明の一つの実施の形態である図１中のリモートコントローラ２００の詳細
を表す図である。この図２では、特に、リモートコントローラ２００の操作部（操作ボタ
ン）のレイアウトを表わしている。筐体２０１の上面２０２先頭近傍部位に「電源」と表
記されて配された電源ボタン２０３から後退した位置に横並びに配され図示のように「Ａ
」「Ｂ」「Ｃ」と表記された各ボタン２０４，２０５，２０６は地上デジタル放送、ＢＳ
デジタル放送、ＣＳデジタル放送の各放送サービスを選択するボタンである。
【００４３】
本例では、筐体２０１上面２０２の中央よりやや上段の位置に配された数字キー２０７
には、各放送サービスごとに、放送チャンネルを事前に設定してあるが、このように例え
ば３桁の番号で表わされるチャンネルが１つの数字キーで代表されるように対応付けるこ
と自体は、既述の特許文献にも所載のとおり公知である。尚、以下に言う「ボタン」は「
キー」と同義である。
【００４４】
例えば、ＢＳデジタル放送に対する「１」ボタンには、１０１チャンネルが事前に設定
してある。ここで、「Ｂ」ボタン２０５を押すと、ＢＳデジタル放送用のチューナが選択
され、ＢＳデジタル放送が受信可能になり、続けて、「１」ボタンを押すと、ＢＳデジタ
ル放送の１０１チャンネルが選局され、これに対応して、デジタルテレビジョン受像機１
００の表示器１６０の画面には１０１チャンネルのテレビジョン放送の映像が映る。
【００４５】
筐体２０１上面２０２の略中央位置に「メニュー」と表記されたメニューボタン２０８
と「番組表」と表記されたＥＰＧボタン２０９とが左右に離隔して配されている。
これらメニューボタン２０８およびＥＰＧボタン２０９よりも後退した位置に上下左右各
方向の矢印が表記された上下左右のシフトボタン２１０，２１１，２１２，２１３が図示
のような所定のレイアウトで配され、これらの中央位置に決定ボタン２１４が配されてい
る。
【００４６】
さらに後退した位置に「戻る」と表記された戻るボタン２１５と、「マイチャンネル」
と表記されたマイチャンネルボタン２１６が左右に離隔して配されている。
戻るボタン２１５より手許側に後退した位置に、上下に分かれて「音量＋、音量−」と
表記された音量調節ボタン２１７が配され、間に「消音」ボタン２１８をおいて、右手に
は、上下に分かれて「選局＋、選局−」と表記された選局ボタン２１９が配されている。
筐体２０１上面２０２の手前端部に臨む位置に、横並びに「青」「赤」「緑」「黄」と
表記されたカラーボタン２２０，２２１，２２１，２２３が配されている。
【００４７】
この実施の形態では、選局ボタン２１９の「選局＋」部を押下すると、１０１チャンネ
ルの次に受信可能な１０２チャンネルが選局され、さらに「選局＋」部を押下すると、１
０２， １０３チャンネルというようにＢＳデジタル放送のチャンネルが昇順に順次選局
される。
反対に、選局ボタン２１９の「選局− 」部は、これとは逆順に、１０３， １０２， 
１０１というようにＢＳデジタル放送のチャンネルが降順に順次選局される。
ＥＰＧボタン２０９は、番組表（ＥＰＧ）を表示するためのボタンである。
【００４８】
図３は、ＥＰＧボタン２０９を押した場合のデジタルテレビジョン受像機１００の表示
器１６０における画面表示を表す図である。上述のようにして登録済みのマイチャンネル
の内、優先順位の高いチャンネルから低いチャンネルの順に番組表が表示され、一番優先
順位の高いチャンネルの現在時刻の番組が選択された状態となる。即ち、この実施の形態
では、デジタルテレビジョン受像機１００の上述した番組選択部は、ＥＰＧ表示部によっ
て表示されたＥＰＧに掲載された番組のうち視聴頻度監視部による監視結果としての視聴
頻度の序列における最上位の順位にあるチャンネル中の現在時刻の番組に対する決定操作
を待機する状態に自動的に到る。この状態で決定ボタン２１４を押すと、その番組を視聴
することができる。
【００４９】
マイチャンネルボタン２１６は、テレビジョン受像機１００の上述のチャンネル登録部
に登録されているチャンネルを表示器１６０の画面に一覧的に表示するとともに、新規の
マイチャンネルを登録するためのボタンである。
【００５０】
図４は、マイチャンネルボタン２１６を押した場合の画面表示（マイチャンネルメニュ
ー画面）である。図４ではマイチャンネルに登録された、ａチャンネルから ｅチャンネ
ルまでのチャンネル名称の一覧が表示される。
ｆチャンネルの表示は、現在のテレビ映像のチャンネル名称を表示しており、点滅表示
などで、マイチャンネルに登録可能なことを示している。上下のシフトボタン２１０，２
１１によってｆチャンネルを選択し、決定ボタン２１４を押すと、現在のテレビ映像のチ
ャンネルであるｆチャンネルがマイチャンネルに登録される。この時の、ａチャンネルか
らｆチャンネルの表示順は、マイチャンネルの選局時の優先順位を示している。なお、上
下のシフトボタン２１０，２１１でａチャンネルからｅチャンネルまでのチャンネル名称
を選択し、決定ボタン２１４を押すと選択されたチャンネルを選局することができる。
【００５１】
図５は、マイチャンネルとして登録されたテーブルを示す図である。ａチャンネルは地
上デジタル放送のＡ２３チャンネル、ｂチャンネルはＢＳデジタル放送のＢ１５６チャン
ネル、ｃチャンネルはＣＳデジタル放送のＣ０８１チャンネルといったように、優先順位
、放送サービス、チャンネル番号、チャンネル名称、累積視聴時間を上述のフラッシュメ
モリ１７０に記憶する。
【００５２】
図６は、チャンネル選択時のテレビジョン受像機１００の動作を表すフローチャートで
ある。現在のチャンネルからチャンネルが変更されたかを判別する（ステップＳ６０１）
。チャンネルが変更されると（ステップＳ６０１：ＹＥＳ）、そのチャンネルをチューニ
ングして、映像・音声を出力する（ステップＳ６０２に「番組表示」と表記）。そのチャ
ンネルがマイチャンネルに登録されているチャンネルかどうかを判別する（ステップＳ６
０３）。マイチャンネルに登録されているチャンネルの場合は（ステップＳ６０３：ＹＥ
Ｓ）、そのチャンネルを視聴している時間を計測し累積視聴時間を記憶する（ステップＳ
６０４）。この実施の形態では、この累積視聴時間（所定の時間の起算点からのチャンネ
ル毎の視聴時間の累積値）に基づいて視聴頻度を判断するように構成されており、この累
積視聴時間に応じて、マイチャンネルの優先順位を変更する。尚、ステップＳ６０１でチ
ャンネルが変更されていないとき（ステップＳ６０１：ＮＯ）、および、ステップＳ６０
３でそのチャンネルがマイチャンネルに登録されているチャンネルでない場合は（ステッ
プＳ６０３：ＮＯ）はステップＳ６０１に戻る。
マイチャンネルの優先順位が変更されると、ＥＰＧボタン２０９を押した場合の画面表示
（図３）、およびマイチャンネルボタン２１６を押した場合の画面表示（図４）のチャン
ネルの表示順番が変更される。
【００５３】
図７は、図１および図２におけるリモートコントローラ２００の内部構成を示すブロッ
ク図である。この図７では、図２の各部との混同を回避する便宜のために、各部について
７００番台の番号を割当てている。リモートコントローラ２００は、その筐体７０１内に
設けられマイクロプロセッサを主体に構成されたシステムコントローラ７１０によってそ
の枢要な機能が実現される。
【００５４】
既述の図２における各操作ボタン（操作キー）に対応する電子スイッチ部を含んで構成
され、ユーザーによる操作を感知して筐体７０１内のシステムコントローラ７１０に伝達
し且つシステムコントローラ７１０からのボタン内部のＬＥＤに対する点燈や点滅の発光
指令を受けて該当するボタンを発光させる機能を含んだ操作部７２０がシステムコントロ
ーラ７１０と結ばれている。
【００５５】
操作部７２０からの操作入力を受付け、該受付けた操作に対応した赤外光による操作指
令信号（リモートコントロール信号）をデジタルテレビジョン受像機１００側のリモート
コントロール信号受信部１５２に送信するリモートコントロール信号送信部７３０もシス
テムコントローラ７１０からの指令に応答して動作する。
一方、メモリ７４０がシステムコントローラ７１０とデータの授受を行ない得るように
接続されているが、このメモリ７４０にはユーザー設定情報などが格納されている。
【００５６】
システムコントローラ７１０は、その各該当する機能部および関連部位との共働によっ
て、本発明の実施の形態としてのリモートコントローラ２００の枢要な構成要素をなすも
のであり、より具体的には次の通りである。
ユーザーの操作部７２０に対する操作に応じて、テレビジョン受像機１００側の上述の
チャンネル登録部に対する所定の登録操作を行うための登録操作信号を形成する登録操作
制御部はシステムコントローラ７１０と操作部７２０との共働によってその機能が実現さ
れる。
【００５７】
また、ユーザーの操作部７２０に対する操作に応じて、テレビジョン受像機１００側の
上述のＥＰＧ表示部にＥＰＧの表示を行わせるためのＥＰＧ表示制御信号を形成するＥＰ
Ｇ表示制御部はシステムコントローラ７１０と操作部７２０との共働によってその機能が
実現される。
更に、ユーザーの操作部７２０に対する操作に応じて、テレビジョン受像機１００側の
上述の番組選択部での番組の選択を実行させるための番組選択制御信号を形成する番組選
択制御部も、システムコントローラ７１０と操作部７２０との共働によってその機能が実
現される。
【００５８】
更にまた、テレビジョン受像機１００側の上述の登録操作制御部により形成された登録
操作信号、前記ＥＰＧ表示制御部により形成されたＥＰＧ表示制御信号、および、前記番
組選択制御部により形成された番組選択制御信号をテレビジョン受像機１００の制御信号
受信部（リモートコントロール信号受信部１５２）に伝送するための制御信号送信部も、
システムコントローラ７１０とリモートコントロール信号送信部７３０との共働によって
その機能が実現される。
【図面の簡単な説明】
【００５９】
【図１】本発明の一つの実施の形態としての放送受信システムを表す図である。
【図２】本発明の一つの実施の形態である図１中のリモートコントローラの詳細を表す図である。
【図３】ＥＰＧボタンを押した場合のデジタルテレビジョン受像機の表示器における画面表示を表す図である。
【図４】登録されたマイチャンネルを表す画面表示（マイチャンネルメニュー画面）を表す図である。
【図５】マイチャンネルとして登録されたテーブルを示す図である。
【図６】チャンネル選択時のテレビジョン受像機１００の動作を表すフローチャートである。
【図７】図１および図２におけるリモートコントローラの内部構成を示すブロック図である。
【符号の説明】
【００６０】
１０…放送受信システム  １００…デジタルテレビジョン受像機（放送受信装置）  １４
１…加算器  １４２…映像処理部  １４４…映像出力部  １５０…システムコントローラ
１５１…ＯＳＤ部  １５２…リモートコントロール信号受信部  １５３…リモートコン
トロール信号デコード部  ２００…リモートコントローラ
【図１】
2007282076.tif 000003
【図２】
2007282076.tif 000004
【図３】
2007282076.tif 000005
【図４】
2007282076.tif 000006
【図５】
2007282076.tif 000007
【図６】
2007282076.tif 000008
【図７】
2007282076.tif 000009